(57)【特許請求の範囲】
【請求項１】
縦方向と横方向と前後方向とを有するとともに、前記縦方向に沿った吸収性本体と、前記横方向に沿った伸縮性のベルト部と、一対の脚回り開口部と、を有する吸収性物品であって、
前記吸収性本体は液体を吸収する吸収性コアを有し、
前記吸収性本体の前記横方向の両側部には、前記吸収性本体の肌側面から起立する一対の防漏壁部が設けられ、
前記縦方向の上方側から前記一対の脚回り開口部のそれぞれに向かって前記横方向の外側に傾斜し、少なくとも前記吸収性本体と前記ベルト部と前記防漏壁部とを接合する一対の接合部が、前記前後方向の前側及び後側にそれぞれ設けられ、
前記一対の防漏壁部それぞれの前記縦方向の上端部を、前記吸収性本体の肌側面に向かって伏した状態で固定する一対の固定部が、前記前側及び前記後側にそれぞれ設けられ、
前記縦方向及び前記横方向において、前記固定部の少なくとも一部が、前記吸収性コアと当該吸収性コアの厚さ方向に重なり、
前記縦方向において、前記固定部の下端が、前記接合部の下端よりも下方側に位置することを特徴とする吸収性物品。
【請求項２】
請求項１に記載の吸収性物品であって、
前記縦方向において、前記固定部の上端が、前記吸収性コアの上端よりも上方側に位置することを特徴とする吸収性物品。
【請求項３】
請求項２に記載の吸収性物品であって、
前記縦方向において、前記固定部の上端が、前記接合部に達していることを特徴とする吸収性物品。
【請求項４】
縦方向と横方向と前後方向とを有するとともに、前記縦方向に沿った吸収性本体と、前記横方向に沿った伸縮性のベルト部と、一対の脚回り開口部と、を有する吸収性物品であって、
前記吸収性本体は液体を吸収する吸収性コアを有し、
前記吸収性本体の前記横方向の両側部には、前記吸収性本体の肌側面から起立する一対の防漏壁部が設けられ、
前記縦方向の上方側から前記一対の脚回り開口部のそれぞれに向かって前記横方向の外側に傾斜し、少なくとも前記吸収性本体と前記ベルト部と前記防漏壁部とを接合する一対の接合部が、前記前後方向の前側及び後側にそれぞれ設けられ、
前記一対の防漏壁部それぞれの前記縦方向の上端部を、前記吸収性本体の肌側面に向かって伏した状態で固定する一対の固定部が、前記前側及び前記後側にそれぞれ設けられ、
前記縦方向及び前記横方向において、前記固定部の少なくとも一部が、前記吸収性コアと当該吸収性コアの厚さ方向に重なり、
前記固定部の前記横方向の内側端は、前記防漏壁部の前記横方向の内側端よりも、前記横方向の外側に位置することを特徴とする吸収性物品。
【請求項５】
請求項１から請求項４の何れか１項に記載の吸収性物品であって、
前記防漏壁部は、その長手方向に伸縮可能な糸状弾性部材と、防漏壁部用シートとを有し、
前記防漏壁部用シートのうち前記横方向における起立する側の部位は、前記吸収性本体の肌側面にて前記横方向の外側に肌側に折り返されて、下層部と上層部とを有し、
前記上層部に前記糸状弾性部材が設けられ、
前記固定部は、前記吸収性本体の肌側面に向かって前記下層部を伏した状態で固定する第１固定部と、前記下層部に向かって前記上層部を伏した状態で固定する第２固定部とを有することを特徴とする吸収性物品。
【請求項６】
請求項１から請求項５の何れか１項に記載の吸収性物品であって、
前記防漏壁部は、その長手方向に伸縮可能な糸状弾性部材と、防漏壁部用シートとを有し、
前記縦方向において、前記糸状弾性部材における伸縮性を発現する部位が、前記接合部に達していないことを特徴とする吸収性物品。
【請求項７】
縦方向と横方向と前後方向とを有するとともに、前記縦方向に沿った吸収性本体と、前記横方向に沿った伸縮性のベルト部と、一対の脚回り開口部と、を有する吸収性物品であって、
前記吸収性本体は液体を吸収する吸収性コアを有し、
前記吸収性本体の前記横方向の両側部には、前記吸収性本体の肌側面から起立する一対の防漏壁部が設けられ、
前記縦方向の上方側から前記一対の脚回り開口部のそれぞれに向かって前記横方向の外側に傾斜し、少なくとも前記吸収性本体と前記ベルト部と前記防漏壁部とを接合する一対の接合部が、前記前後方向の前側及び後側にそれぞれ設けられ、
前記一対の防漏壁部それぞれの前記縦方向の上端部を、前記吸収性本体の肌側面に向かって伏した状態で固定する一対の固定部が、前記前側及び前記後側にそれぞれ設けられ、
前記縦方向及び前記横方向において、前記固定部の少なくとも一部が、前記吸収性コアと当該吸収性コアの厚さ方向に重なり、
前記吸収性本体の前記横方向の両外側に、前記縦方向に沿った一対のレッグギャザー部が設けられ、
前記脚回り開口部の周縁に沿ったシート状弾性部材が、前記ベルト部及び前記レッグギャザー部に設けられていることを特徴とする吸収性物品。
【請求項８】
請求項７に記載の吸収性物品であって、
前記シート状弾性部材の前記横方向の長さは、前記縦方向の下方側に比べて上方側の方が長いことを特徴とする吸収性物品。
【請求項９】
請求項１から請求項８の何れか１項に記載の吸収性物品であって、
前記吸収性本体は、前記吸収性コアがコアラップシートで被覆された吸収体を有し、
前記防漏壁部は、その長手方向に伸縮可能な糸状弾性部材と、防漏壁部用シートとを有し、
前記防漏壁部用シートは、前記吸収体の前記横方向の側端において、前記吸収性本体の肌側面に折り返されるとともに、前記吸収体の非肌側面にも折り返され、
前記防漏壁部用シートのうち前記吸収体の非肌側面に折り返された部位が、前記防漏壁部の長手方向に沿って、前記吸収体の非肌側面に固定されていることを特徴とする吸収性物品。
【発明の詳細な説明】
【技術分野】
【０００１】
本発明は、吸収性物品に関する。
【背景技術】
【０００２】
吸収性物品として、例えば特許文献１のように、透液性表面シートと不透液性裏面シートの間に液吸収体が封入されたおむつ本体と、弾性体を有するウェストベルトとを備え、おむつ本体の幅方向中心側より両側脚回り部に向かって傾斜状に、ウェストベルトの長手方向の両端部をおむつ本体の長手方向の両端部に結合した使い捨ておむつが知られている。この使い捨ておむつでは、透液性表面シートの幅方向の両側に、不透液性袋シートの互いに対向する内側縁を開口した袋部を形成し、排泄物の横漏れを抑制している。
【先行技術文献】
【特許文献】
【０００３】
【特許文献１】特開平９−２９０００３号公報
【発明の概要】
【発明が解決しようとする課題】
【０００４】
上記の使い捨ておむつでは、ウェストベルトの弾性体と袋部の弾性体とが傾斜状の結合部にて対向し、一連に作用する。そのため、おむつの装着時にウェストベルトが斜め上に引き上げられると、ウェストベルトの他の部位よりも傾斜状の結合部に力が集中するため、袋部も連動して斜め上に引っ張られやすくなる。その結果、袋部が横方向の外側に広がって倒れたり、結合部付近の袋部が不要に立ち上がって着用者の体との間に隙間が生じたりしてしまう。そうすると、袋部を適切に着用者に密着させることができず、袋部で排泄物を堰き止めることができない。また、おむつの装着中も、着用者の胴回りの動き、つまりウェストベルトの動きに袋部が連動し、隙間が生じてしまう。このように、袋部（防漏壁部）による排泄物の漏れ抑制の効果が十分に得られないという問題が生じている。
【０００５】
本発明は、上記のような問題に鑑みてなされたものであり、防漏壁部が適切に作用し、排泄物の漏れを抑制する吸収性物品を提供することを目的とする。
【課題を解決するための手段】
【０００６】
上記目的を達成するための主たる発明は、縦方向と横方向と前後方向とを有するとともに、前記縦方向に沿った吸収性本体と、前記横方向に沿った伸縮性のベルト部と、一対の脚回り開口部と、を有する吸収性物品であって、
前記吸収性本体は液体を吸収する吸収性コアを有し、
前記吸収性本体の前記横方向の両側部には、前記吸収性本体の肌側面から起立する一対の防漏壁部が設けられ、
前記縦方向の上方側から前記一対の脚回り開口部のそれぞれに向かって前記横方向の外側に傾斜し、少なくとも前記吸収性本体と前記ベルト部と前記防漏壁部とを接合する一対の接合部が、前記前後方向の前側及び後側にそれぞれ設けられ、
前記一対の防漏壁部それぞれの前記縦方向の上端部を、前記吸収性本体の肌側面に向かって伏した状態で固定する一対の固定部が、前記前側及び前記後側にそれぞれ設けられ、
前記縦方向及び前記横方向において、前記固定部の少なくとも一部が、前記吸収性コアと当該吸収性コアの厚さ方向に重なり、
前記縦方向において、前記固定部の下端が、前記接合部の下端よりも下方側に位置することを特徴とする吸収性物品である。
本発明の他の特徴については、本明細書及び添付図面の記載により明らかにする。
【発明の効果】
【０００７】
本発明によれば、防漏壁部が適切に作用し、排泄物の漏れを抑制する吸収性物品を提供することができる。
【図面の簡単な説明】
【０００８】
【図１】おむつの外観を示す概略斜視図である。
【図２】図２Ａは吸収性本体及びベルト部の長手方向を揃えて伸長させた状態のおむつの平面図であり、図２Ｂは図２Ａの状態のおむつの断面図である。
【図３】図３Ａは製造途中の展開状態のおむつの平面図であり、図３Ｂは図３Ａの状態のおむつの断面図である。
【図４】おむつの製造方法の説明図である。
【図５】おむつの製造方法の説明図である。
【図６】おむつの製造方法の説明図である。
【図７】おむつの製造方法の説明図である。
【図８】おむつの製造方法の説明図である。
【図９】防漏壁部の固定部と脚回り弾性シートの説明図である。
【発明を実施するための形態】
【０００９】
本明細書及び添付図面の記載により、少なくとも以下の事項が明らかとなる。
縦方向と横方向と前後方向とを有するとともに、前記縦方向に沿った吸収性本体と、前記横方向に沿った伸縮性のベルト部と、一対の脚回り開口部と、を有する吸収性物品であって、前記吸収性本体は液体を吸収する吸収性コアを有し、前記吸収性本体の前記横方向の両側部には、前記吸収性本体の肌側面から起立する一対の防漏壁部が設けられ、前記縦方向の上方側から前記一対の脚回り開口部のそれぞれに向かって前記横方向の外側に傾斜し、少なくとも前記吸収性本体と前記ベルト部と前記防漏壁部とを接合する一対の接合部が、前記前後方向の前側及び後側にそれぞれ設けられ、前記一対の防漏壁部それぞれの前記縦方向の上端部を、前記吸収性本体の肌側面に向かって伏した状態で固定する一対の固定部が、前記前側及び前記後側にそれぞれ設けられ、前記縦方向及び前記横方向において、前記固定部の少なくとも一部が、前記吸収性コアと当該厚さ方向に重なることを特徴とする吸収性物品である。
このような吸収性物品によれば、防漏壁部がベルト部からの力を受け難く独立して作用できる。例えば装着時に斜め上に引き上げられるベルト部に防漏壁部が連動して防漏壁部が倒れたり不要に立ち上がったりすることを抑えられ、防漏壁部を適切に着用者に密着させることができる。また、装着中も着用者の胴回りの動き、つまりベルト部の動きに防漏壁部が連動し難く、適切な密着状態を維持できる。よって、排泄物の漏れを抑制できる。また、吸収性コアは剛性が高く、ベルト部の動きの影響を受け難い。よって、固定部と吸収性コアとを重ねることで、より確実に、防漏壁部を適切に作用させ、排泄物の漏れを抑制できる。
【００１０】
かかる吸収性物品であって、前記縦方向において、前記固定部の下端が、前記接合部の下端よりも下方側に位置することを特徴とする吸収性物品である。
このような吸収性物品によれば、接合部にはベルト部の伸長による力が強く掛かるため、接合部の下端よりも下方の位置まで防漏壁部を固定することで、ベルト部と防漏壁部との連動をより確実に抑えられる。また、一対の接合部間において防漏壁部の立ち上がりによる皺の発生を防止でき、ベルト部の伸縮により一対の接合部間に生じる皺が助長されてしまうことを防止できる。
【００１１】
かかる吸収性物品であって、前記縦方向において、前記固定部の上端が、前記吸収性コアの上端よりも上方側に位置することを特徴とする吸収性物品である。
このような吸収性物品によれば、接合部にはベルト部の伸長による力が強く掛かるため、より上方の位置まで防漏壁部を固定することで、ベルト部と防漏壁部との連動をより確実に抑えられる。また、吸収性コアよりも上方まで防漏壁部を固定することで、吸収性コアよりも上方のシートから成る領域の剛性が高まり、一対の接合部間に生じる皺の発生を抑制できる。
【００１２】
かかる吸収性物品であって、前記縦方向において、前記固定部の上端が、前記接合部に達していることを特徴とする吸収性物品である。
このような吸収性物品によれば、より上方の位置まで防漏壁部を固定することで、ベルト部と防漏壁部との連動をより確実に抑えられ、また、一対の接合部間に生じる皺の発生を抑制できる。
【００１３】
かかる吸収性物品であって、前記固定部の前記横方向の内側端は、前記防漏壁部の前記横方向の内側端よりも、前記横方向の外側に位置することを特徴とする吸収性物品である。
このような吸収性物品によれば、縦方向の下方側に向かって、防漏壁部が固定されている部位から固定されていない部位にかけて、防漏壁部を滑らかに起立させることができる。よって、防漏壁部が起立し易くなるため、防漏壁部を適切に作用させ、排泄物の漏れを抑制できる。
【００１４】
かかる吸収性物品であって、前記防漏壁部は、その長手方向に伸縮可能な糸状弾性部材と、防漏壁部用シートとを有し、前記防漏壁部用シートのうち前記横方向における起立する側の部位は、前記吸収性本体の肌側面にて前記横方向の外側に肌側に折り返されて、下層部と上層部とを有し、前記上層部に前記糸状弾性部材が設けられ、前記固定部は、前記吸収性本体の肌側面に向かって前記下層部を伏した状態で固定する第１固定部と、前記下層部に向かって前記上層部を伏した状態で固定する第２固定部とを有することを特徴とする吸収性物品である。
このような吸収性物品によれば、防漏壁部がベルト部から独立して作用でき、防漏壁部を適切に作用させ、排泄物の漏れを抑制できる。
【００１５】
かかる吸収性物品であって、前記防漏壁部は、その長手方向に伸縮可能な糸状弾性部材と、防漏壁部用シートとを有し、前記縦方向において、前記糸状弾性部材における伸縮性を発現する部位が、前記接合部に達していないことを特徴とする吸収性物品である。
このような吸収性物品によれば、ベルト部と防漏壁部との連動をより確実に抑えることができ、防漏壁部がベルト部から独立して作用できる。
【００１６】
かかる吸収性物品であって、前記吸収性本体の前記横方向の両外側に、前記縦方向に沿った一対のレッグギャザー部が設けられ、前記脚回り開口部の周縁に沿ったシート状弾性部材が、前記ベルト部及び前記レッグギャザー部に設けられていることを特徴とする吸収性物品である。
このような吸収性物品によれば、着用者の股間部では肌側に起立する防漏壁部を線状に着用者の体に密着させつつ、シート状弾性部材を着用者の脚回りに面で密着させて脚回り開口部の周縁部を脚の動きに追従させることができる。よって、排泄物の漏れを二重に抑制できる。
【００１７】
かかる吸収性物品であって、前記シート状弾性部材の前記横方向の長さは、前記縦方向の下方側に比べて上方側の方が長いことを特徴とする吸収性物品である。
このような吸収性物品によれば、縦方向の下方側の部位、すなわち着用者の股間部に当たる部位では、着用者に面で密着するシート状弾性部材で防漏壁部を支持しつつ、シート状弾性部材の幅を狭くすることで、太腿に挟み込まれる股間部でも、シート状弾性部材のもたつきを抑えられる。一方、縦方向の上方側の部位は体に窪みが生じ易い着用者の鼠蹊部に当たるため、幅の広いシート状弾性部材をしっかりと着用者に密着させることで、隙間が生じ難く、排泄物の漏れを抑制できる。
【００１８】
かかる吸収性物品であって、前記吸収性本体は、前記吸収性コアがコアラップシートで被覆された吸収体を有し、前記防漏壁部は、その長手方向に伸縮可能な糸状弾性部材と、防漏壁部用シートとを有し、前記防漏壁部用シートは、前記吸収体の前記横方向の側端において、前記吸収性本体の肌側面に折り返されるとともに、前記吸収体の非肌側面にも折り返され、前記防漏壁部用シートのうち前記吸収体の非肌側面に折り返された部位が、前記防漏壁部の長手方向に沿って、前記吸収体の非肌側面に固定されていることを特徴とする吸収性物品である。
このような吸収性物品によれば、防漏壁部用シートのうち吸収体の非肌側面に折り返された部位、すなわち防漏壁部の起立支点となる部位を、剛性の高い吸収体に固定することで、防漏壁部が着用者の脚の動きに連動し難くなる。よって、防漏壁部の適切な密着状態を維持でき、排泄物の漏れを抑制できる。
【００１９】
吸収性物品としてパンツ型の使い捨ておむつ（以下、おむつ）を例に挙げて実施形態を説明する。
【００２０】
＝＝＝おむつ１の基本構成＝＝＝
図１はおむつ１の外観を示す概略斜視図である。図２Ａは吸収性本体２及びベルト部４の長手方向を揃えて伸長させた状態のおむつ１の平面図であり、図２Ｂは図２Ａの状態のおむつ１の断面図である。図３Ａは製造途中の展開状態のおむつ１の平面図であり、図３Ｂは図３Ａの状態のおむつ１の断面図である。
【００２１】
おむつ１は、着用時に図１に示すようなパンツ型の形状となる。パンツ型状態において、おむつ１は互いに直交する「縦方向」と「横方向」と「前後方向」とを有する。なお、縦方向のうち着用者の胴回り側を上側（上方）とし、着用者の股下側を下側（下方）とする。また、前後方向のうち着用者の腹側を前側（前方）とし、着用者の背側を後側（後方）とする。
【００２２】
おむつ１は、縦方向に沿った吸収性本体２、一対のレッグギャザー部３、及び一対の防路壁部２０と、横方向に沿った一対のベルト部４と、一つの胴回り開口部ＷＨと、一対の脚回り開口部ＬＨとを有する。パンツ型状態のおむつ１（図１）において、前方の上方に吸収性本体２の長手方向の一端部が位置し、着用者の股下を介して後方の上方に吸収性本体２の長手方向の他端部が位置する。一対のレッグギャザー部３は吸収性本体２の横方向の両外側に設けられている。
【００２３】
なお、図２Ａに示す平面状態のおむつ１では、吸収性本体２と一対のレッグギャザー部３と一対のベルト部４の各長手方向が揃い、吸収性本体２及び一対のレッグギャザー部３の肌側面に一対のベルト部４が重なるとともに、一対のレッグギャザー部３及び一対のベルト部４が長手方向に伸長している。平面状態のおむつ１において、一対のベルト部４の各横方向の内側端４ｂを横方向の外側に開き、一対のベルト部４をそれぞれその長手方向の中央部で二つ折りしつつ、吸収性本体２及び一対のレッグギャザー部３をそれぞれその長手方向の中央部で二つ折りすることで、パンツ型状態のおむつ１（図１）になる。
【００２４】
吸収性本体２では図２Ｂに示すように、その厚さ方向の肌側（着用者に接触する側）から順に、液透過性シート５（例えば不織布等）と、吸収体６と、液不透過性シート７（例えばポリエチレン（ＰＥ）フィルムやポリプロピレン（ＰＰ）フィルム等）と、外装シート８（例えば不織布等）とが重なっている。
【００２５】
吸収体６は、液体を吸収する吸収性コア６１と、吸収性コア６１の外周面を被覆するコアラップシート６２とを備えている。吸収性コア６１は、液体吸収性素材が所定の形状に成形されたものであり、この実施形態では長手方向の両端が湾曲した略長方形状をしている。液体吸収性素材としては、パルプ繊維等の液体吸収性繊維や、高吸収性ポリマー（所謂ＳＡＰ）等の液体吸収性粒状物を例示できる。コアラップシート６２としては、ティッシュペーパーや不織布等の液透過性シートを例示できる。なお、吸収性コア６１がコアラップシート６２に被覆されていなくてもよい。
【００２６】
レッグギャザー部３及びベルト部４は伸縮性を有する。詳しくはレッグギャザー部３には、縦方向に伸縮可能な複数の糸状弾性部材３ａ（例えば糸ゴム等）が横方向に並んで配置されている。ベルト部４には、横方向に伸縮可能な複数の糸状弾性部材４ａ（例えば糸ゴム等）が縦方向に並んで配置されている。また、脚回り開口部ＬＨに沿って脚回り弾性シート９が設けられている。よって、おむつ１は着用者の胴回りや脚回りにフィットする。なお、脚回り弾性シート９としては、ポリウレタン系エラストマー等の略弾性を示すエラストマー繊維とポリオレフィン系樹脂等の略非弾性を示す熱可塑性樹脂繊維とを有した不織布に対して所謂ギア延伸加工を施して伸縮性が発現した不織布を例示できるが、これに限らない。
【００２７】
一対の防漏壁部２０は、吸収性本体２の横方向の両側部に設けられており、詳しくは、一対のレッグギャザー部３よりも横方向の内側であり、吸収体６の横方向の両側部に設けられている。防漏壁部２０は、その長手方向に伸縮可能な糸状弾性部材２１と、防漏壁部用シート２２とを有する。糸状弾性部材２１は伸長状態で防漏壁部用シート２２に固定され、自然状態のおむつ１では、糸状弾性部材２１の収縮により防漏壁部２０が吸収性本体２の肌側面、即ち液透過性シート５から着用者側に起立する。糸状弾性部材２１としては、糸状のポリウレタン伸縮性繊維や天然ゴム等を例示できる。防漏壁部用シート２２としては、疎水性繊維にて形成された不織布やプラスチックフィルム等の不透液性のシートが好ましく、不透液性のスパンボンド不織布やＳＭＳ不織布（スパンボンド・メルトブロー・スパンボンド不織布）を例示できる。
【００２８】
おむつ１前方の上端部では、一対の第１接合部５１にて、吸収性本体２の横方向の側端と防漏壁部２０の上端とレッグギャザー部３の上端が、ベルト部４の長手方向の一端に接合されている。おむつ１後方の上端部では、一対の第２接合部５２にて、吸収性本体２の横方向の側端と防漏壁部２０の上端とレッグギャザー部３の上端が、ベルト部４の長手方向の他端に接合されている。一対の第１接合部５１は縦方向の上方側から（詳しくは胴回り開口部ＷＨの横方向中心から）一対の脚回り開口部ＬＨのそれぞれに向かって横方向の外側に傾斜している。一対の第２接合部５２も同様に傾斜している。なお、第１接合部５１及び第２接合部５２での接合方法としては、例えば、接着剤、ヒートシール、超音波シール、これらの組み合わせ等、公知の接合方法を例示できる。
【００２９】
＝＝＝おむつ１の製造方法＝＝＝
図４から図８はおむつ１の製造方法の説明図である。なお、図４Ａ、図５Ａ、図６Ａ、図７Ａは製造途中のおむつ１を厚さ方向の肌側から見た平面図であり、図４Ｂ、図５Ｂ、図６Ｂ、図７Ｂは製造途中のおむつ１の断面図である。本実施形態では図８に示すように、おむつ１の材料がＭＤ方向に搬送されながら複数のおむつ１が連続的に製造されるとするが、図４から図７では単体のおむつ１のみを示す。
【００３０】
防漏壁部２０の製造工程では、防漏壁部用シート２２の基材２３から一対の防漏壁部２０が製造される。そのため、まず図４に示すように、防漏壁部用シート２２の基材２３の横方向の両側部にそれぞれ、３本の糸状弾性部材２１が基材２３の長手方向に伸長状態で固定される。なお、糸状弾性部材２１の数は３本に限らない。また図４及びその他の図面では、伸長状態で固定された糸状弾性部材２１の部位、つまり糸状弾性部材２１のうち長手方向に伸縮性を発現する部位のみを示す。そして、３本の糸状弾性部材２１が配された基材２３の横方向の両側部が、横方向の内側に厚さ方向の肌側（上面側）に折り返され、不図示の接着剤で固定される。その後、折り返された両側部の横方向の内側にそれぞれ第１接着剤３１が塗布される。第１接着剤３１は図４Ａに示すように基材２３の長手方向の両端部に塗布される。
【００３１】
その後、基材２３の横方向の両側部は、図５に示すように、再び横方向の内側に厚さ方向の肌側に折り返される。折り返された基材２３の部位が防漏壁部２０の上層部２４となる。よって、上層部２４に糸状弾性部材２１が設けられることになる。そして、上層部２４よりも厚さ方向の非肌側の基材２３の部位が防漏壁部２０の下層部２５となる。詳しくは図６Ｂに示すように、上層部２４の横方向の内側端から吸収体６の横方向の側端６ｂまでが下層部２５となる。上層部２４は基材２３の長手方向の両端部において第１接着剤３１により下層部２５に向かって伏した状態で固定される。そして、基材２３は横方向の中央ＣＬ１で切断される。切断された横方向右側の基材２３の部位が、図６Ｂに示すように横方向左側の防漏壁部２０Ａとなり、切断された横方向左側の基材２３の部位が、横方向右側の防漏壁部２０Ｂとなる。
【００３２】
一対の防漏壁部２０（２０Ａ，２０Ｂ）は横方向に間隔を空けて配置され、各防漏壁部用シート２２の非肌側面に第２接着剤３２と第３接着剤３３とが塗布される。第２接着剤３２の横方向の位置は後に合流する吸収体６と厚さ方向に重なる位置であり、第２接着剤３２の長手方向の位置は第１接着剤３１と同じ位置、即ち防漏壁部用シート２２の長手方向の両端部である。第３接着剤３３の横方向の位置は吸収体６よりも横方向の外側の位置であり、第３接着剤３３は防漏壁部用シート２２の長手方向の全域に亘って塗布される。そして、一対の防漏壁部２０の非肌側面側から液透過性シート５が合流し、一対の防漏壁部２０と液透過性シート５とが第２接着剤３２及び第３接着剤３３により一体化する。
【００３３】
防漏壁部用シート２２の方が液透過性シート５よりも横方向の外側まで延びており、液透過性シート５と防漏壁部用シート２２の各非肌側面のうち両シート５，２２の境界部分に第４接着剤３４が塗布される。第４接着剤３４は防漏壁部用シート２２の長手方向の全域に亘って塗布される。そして、液透過性シート５の非肌側面側から吸収体６が合流し、液透過性シート５の非肌側面の横方向中央部に塗布された不図示の接着剤により、液透過性シート５と吸収体６とが一体化する。
【００３４】
その後、図７に示すように、液透過性シート５及び防漏壁部用シート２２の横方向の両側部はそれぞれ、吸収体６の横方向の側端６ｂにおいて横方向の内側に非肌側に折り返され、吸収体６の非肌側面に第４接着剤３４により固定される。つまり、液透過性シート５と防漏壁部用シート２２で吸収体６を巻き込む形状となる。なお、第１接着剤３１から第４接着剤３４としてはホットメルト接着剤を例示でき、塗布パターンとしては、スパイラルパターンやストライプパターンやべた塗り等、周知の塗布パターンを例示できる。
【００３５】
本実施形態のおむつ１では、一対のレッグギャザー部３及び一対のベルト部４が一対のシート部材１０から形成されるとする。シート部材１０では、図３Ｂに示すように、不織布等の二枚のシート１１，１１が厚さ方向に重ねられ、その間にレッグギャザー部３用の糸状弾性部材３ａとベルト部４用の糸状弾性部材４ａと脚周り弾性シート９とが長手方向に伸長した状態で固定されている。なお、シート部材１０の横方向外側の端部は横方向の内側に２回折り返されているため、着用時に胴回り部分に掛かるストレスが軽減される。このような一対のシート部材１０は、防漏壁部２０の製造工程とは別の不図示の工程にて製造される。製造された一対のシート部材１０は横方向に間隔を空けて配置される。そして、一対のシート部材１０の非肌側面側から液不透過性シート７及び外装シート８が合流し、不図示の接着剤により一対のシート部材１０と液不透過性シート７と外装シート８とが一体化する。
【００３６】
その後、図８に示すように、液透過性シート５（連続シート）と防漏壁部用シート２２（連続シート）で吸収体６（吸収性コア６１）を巻き込んだ基材の非肌側面側に、一対のシート部材１０（連続シート）と液不透過性シート７（連続シート）と外装シート８（連続シート）が合流し、不図示の接着剤により各部材が一体化する。こうして液透過性シート５、吸収体６、液不透過性シート７、及び外装シート８が積層され、吸収性本体２が形成される。また、一対のシート部材１０の横方向内側の端部は図３Ｂに示すように防路壁部用シート２２と液不透過性シート７の間に接合されることになる。なお、図８のＭＤ方向は図２Ａの長手方向に対応し、ＭＤ方向と直交するＣＤ方向は図２Ａの横方向に対応する。そして、シート部材１０のうち脚回り弾性シート９が存在する部位に脚回り開口部用の孔ＬＨ’が刳り抜かれる。そのため、脚回り開口部ＬＨに沿って全周に亘り脚回り弾性シート９が存在することになる。この時のおむつ１の状態が図３に示す状態である。
【００３７】
その後、シート部材１０の横方向外側の端部は、脚回り開口部用の孔ＬＨ’を通るＭＤ方向に延びる折り返し線ＦＬにて、横方向の内側に肌側に折り返される。そうして折り返されたシート部材１０の部位がベルト部４となり、吸収体６等と横方向に並ぶシート部材１０の部位がレッグギャザー部３となる。そして、吸収性本体２とレッグギャザー部３とベルト部４と防漏壁部２０とが一対の第１接合５１部及び一対の第２接合５２部にて接合される。その後、基材がおむつ１の個体ごとに切り離されるとともに、第１接合部５１及び第２接合部５２に沿って長方形の四隅が切断される。これにより図２Ａに示す平面状態のおむつ１が製造される。
【００３８】
＝＝＝防漏壁部２０の固定部４０と脚回り弾性シート９＝＝＝
図９は、防漏壁部２０の固定部４０と脚回り弾性シート９の説明図であり、図２Ａの状態のおむつ１を展開した図である。本実施形態のおむつ１には、パンツ型状態での前側（腹側）及び後側（背側）において、一対の防漏壁部２０それぞれの縦方向の上端部を、吸収性本体２の肌側面つまり液透過性シート５の肌側面に向かって伏した状態で固定する一対の固定部４０が設けられている。
【００３９】
前述のように、本実施形態の防漏壁部２０では、防漏壁部用シート２２が、吸収体６の横方向の側端６ｂにおいて横方向の内側に液透過性シート５の肌側面側に折り返されている。その折り返された部位、つまり防漏壁部用シート２２のうちの横方向における起立する側の端部（所謂自由端部）は、更に、液透過性シート５の肌側面において図７Ｂに示す折り位置Ｐ１で横方向の外側に肌側に折り返され、下層部２５と上層部２４とが形成される。そのため、固定部４０は、液透過性シート５の肌側面に向かって下層部２５を伏した状態で固定する第１固定部４１と、下層部２５に向かって上層部２４を伏した状態で固定する第２固定部４２とを有する。図６Ａに示すように、下層部２５の長手方向の両端部であり、第２接着剤３２が塗布された部位が、第１固定部４１となる。また、図５Ａに示すように、上層部２４の長手方向の両端部であり、第１接着剤３１が塗布された部位が、第２固定部４２となる。つまり、固定部４０とは、第１接着剤３１と第２接着剤３２のうちの少なくとも一方が塗布された部位である。
【００４０】
なお、製造途中では第１接着剤３１及び第２接着剤３２は長方形状に塗布されるが、第１接合部５１及び第２接合部５２の形成後に、製造途中である長方形のおむつの四隅は切断される（図８参照）。そのため、第１固定部４１及び第２固定部４２は図９に示すように台形形状となる。また、防漏壁部２０を液透過性シート５に接着剤で固定するに限らず、例えば粘着テープ、ヒートシール、超音波シール等、公知の方法で固定してもよい。
【００４１】
また、防漏壁部２０の縦方向の下端部、つまり着用者の股間部に当接する部位では、下層部２５は液透過性シート５に固定されておらず、上層部２４は下層部２５に固定されていない。よって、上層部２４及び下層部２５は肌側に起立して排泄物を堰き止め可能となっている。
【００４２】
本実施形態のおむつ１では、伸縮性のベルト部４と防漏壁部２０の各長手方向の端が第１接合部５１及び第２接合部５２にて接合されている。そのため、ベルト部４に掛かる力が第１接合部５２及び第２接合部５２に集中して防漏壁部２０に作用し易い形状となっている。しかし、上述のように、本実施形態のおむつ１では、防漏壁部２０の縦方向の上端部が固定部４０により液透過性シート５の肌側面に固定されている。そのため、ベルト部４の伸縮性（糸状弾性部材４ａ）と防漏壁部２０の伸縮性（糸状弾性部材２１）は一連に作用せず、互いに影響を及ぼし合わない。つまり、防漏壁部２０は、ベルト部４からの力を受け難く、独立して作用する。例えば、おむつ１の装着時に斜め上に引き上げられるベルト部４によって防漏壁部２０も斜め上に引っ張られてしまうことを抑えられる。その結果、防漏壁部２０が横方向の外側に広がって倒れたり、第１接合部５１及び第２接合部５２近傍の防漏壁部２０の部位が不要に立ち上がったりすることを抑えられる。よって、防漏壁部２０と着用者の体との間に隙間が生じ難く、防漏壁部２０が適切に着用者に密着するため、防漏壁部２０によって排泄物を堰き止めることができる。また、おむつ１の装着中も着用者の胴回りの動き、つまりベルト部４の動きに防漏壁部２０が連動して隙間が生じてしまうことを抑えられる。よって、防漏壁部２０の適切な密着状態が維持される。以上のように、本実施形態のおむつ１によれば、防漏壁部２０が適切に作用し、排泄物の漏れを抑制できる。
【００４３】
また、縦方向及び横方向において、固定部４０の一部が吸収性コア６１と厚さ方向に重なっている。具体的には、図９に示すように、固定部４０の長手方向中央側（縦方向下方側）の端部が、横方向の全域に亘って、吸収性コア６１と重なっている。吸収性コア６１は剛性が高く、ベルト部４の動きの影響を受け難い。そのため、吸収性本体２のうち吸収性コア６１が存在する領域に防漏壁部２０を固定することで、防漏壁部２０がベルト部４の動きに一層連動し難くなる。よって、より確実に、防漏壁部２０を適切に作用させ、排泄物の漏れを抑制できる。
【００４４】
なお、防漏壁部２０の上層部２４及び下層部２５が固定部４０によって横方向の全域に亘り吸収性本体２に固定されるに限らず、横方向の一部でも固定されていれば上記の効果が得られる。本実施形態のおむつ１では、固定部４０の横方向の内側端４０ａが、防漏壁部２０の横方向の内側端２０ａよりも、横方向の外側に位置する。つまり、防漏壁部２０の横方向の内側端２０ａまで第１接着剤３１及び第２接着剤３２が塗布されず、防漏壁部２０の横方向の内側端部が固定されていない。そうすることで、縦方向の下方側に向かって、防漏壁部２０が固定されている部位から固定されていない部位にかけて、防漏壁部２０を滑らかに起立させることができ、防漏壁部２０が起立し易くなる。そのため、防漏壁部２０を適切に作用させ、排泄物の漏れを抑制できる。
【００４５】
また、固定部４０の長手方向中央側の端（下端）４０ｂは、図９に示すように、第１接合部５１又は第２接合部５２の長手方向中央側の端（下端）５１ａ，５２ａよりも長手方向中央側（縦方向の下方側）に位置している。前述のように、第１接合部５１及び第２接合部５２にはベルト部４の伸長による力が強く掛かる。そのため、一対の第１接合部５１間及び一対の第２接合部５２間に存在する防漏壁部２０の部位は、ベルト部４からの力を受け易い。そのため、固定部４０を第１接合部５１及び第２接合部５２よりも長手方向中央側（下方側）に延ばすことで、防漏壁部２０がベルト部４の動きに一層連動し難くなり、防漏壁部２０を適切に作用させることができる。
【００４６】
一対の第１接合部５１間及び一対の第２接合部５２間では、ベルト部４の伸縮により皺が生じ易い。特に吸収性コア６１が存在しないシートのみの領域に皺が生じ易い。また、シートのみの領域には、防漏壁部２０の立ち上がりによっても皺が生じるおそれがある。そこで、上記のように固定部４０を第１接合部５１又は第２接合部５２よりも長手方向中央側（下方側）まで延ばし、一対の第１接合部５１間及び一対の第２接合部５２間では防漏壁部２０を起立させないようにするとよい。そうすることで、一対の第１接合部５１間及び一対の第２接合部５２間において防漏壁部２０の起立による皺の発生を防ぎ、ベルト部４の伸縮による皺の発生を助長してしまうことを防止できる。よって、皺の発生を出来る限り抑えられ、おむつ１の外観を向上させることができる。
【００４７】
また、固定部４０の長手方向外側の端（上端）４０ｃは、吸収性コア６１の長手方向外側の端（上端）６１ａよりも長手方向外側（縦方向の上方側）に位置している。更に言えば、固定部４０の長手方向外側の端４０ｃは、縦方向において第１接合部５１及び第２接合部５２に達している。このようにベルト部４からの力を受け易い一対の第１接合部５１間及び一対の第２接合部５２間において、より長手方向の広い範囲に亘り固定部４０を延ばし、防漏壁部２０を吸収性本体２に固定するとよい。そうすることで、防漏壁部２０がベルト部４の動きに一層連動し難くなり、防漏壁部２０を適切に作用させることができる。
【００４８】
吸収性コア６１よりも長手方向外側（上方側）まで固定部４０を延ばすことで、吸収性コア６１よりも長手方向外側のシートから成る柔軟な領域に、防漏壁部用シート２２の層と第１接着剤３１及び第２接着剤３２の層が加わり、剛性が高まる。よって、ベルト部４からの力により皺が生じ易い一対の第１接合部５１間及び一対の第２接合部５２間において皺の発生を出来る限り抑えられ、おむつ１の外観を向上させることができる。但し上記に限らず、固定部４０が、第１，第２接合部５１，５２よりも下方に延びていなかったり、吸収性コア６１の上端６１ａよりも上方に延びていなかったり、第１，第２接合部５１，５２に達していなかったりしてもよい。
【００４９】
また、防漏壁部用シート２２のうち吸収体６の横方向の側端６ｂにおいて横方向の内側に吸収体６の非肌側面に折り返された部位（所謂固定端部）が、防漏壁部２０の長手方向に沿って塗布された第４接着剤３４（図６図７参照）により、吸収体６の非肌側面に固定されている。防漏壁部用シート２２の固定端部は防漏壁部２０の起立支点となる。そのため、防漏壁部用シート２２の固定端部を、例えばシート材から成るレッグギャザー部３に固定する場合に比べて、剛性の高い吸収体６（特に吸収性コア６１が存在する部位）に固定することで、防漏壁部２０が着用者の脚の動きに連動し難くなり、防漏壁部２０の起立が安定する。よって、防漏壁部２０の適切な密着状態が維持され、排泄物の漏れを抑制できる。
【００５０】
また、防漏壁部用シート２２の固定端部及び吸収体６の非肌側面は、図３Ｂに示すように第５接着剤３５により、液不透過性シート７及びレッグギャザー部３に固定されている。第５接着剤３５は吸収体６の横方向の側端６ｂよりも横方向の内側に位置している。よって、防漏壁部用シート２２の固定端部における横方向外側の端部、つまり吸収体６の横方向の側端部は、レッグギャザー部３に固定されていない。そのため、吸収体６の横方向の側端部がレッグギャザー部３の動き、つまり着用者の脚の動きに連動してしまうことを抑えられ、吸収体６の側端部が変形したり持ち上がったりすることを抑制できる。よって、防漏壁部２０の起立が安定し、防漏壁部２０の適切な密着状態が維持され、排泄物の漏れを抑制できる。
【００５１】
また、防漏壁部２０用の糸状弾性部材２１のうち伸縮性を発現する部位、つまり長手方向に伸長状態で防漏壁部用シート２２に固定された糸状弾性部材２１の部位が、図９に示すように第１接合部５１及び第２接合部５２に達していない。そうすることで、ベルト部４の伸縮性（糸状弾性部材４ａ）と防漏壁部２０の伸縮性（糸状弾性部材２１）が一連に作用してしまうことをより確実に防ぐことができ、防漏壁部２０をベルト部４から独立して作用させることができ、排泄物の漏れを抑制できる。
【００５２】
以上のように本実施形態のおむつ１では、着用者の股間部に当接する部位、つまりパンツ型状態のおむつ１の下方では、糸状弾性部材２１によって肌側に起立する防漏壁部２０が線状に着用者の体に密着し、排泄物の漏れが抑えられる。一方、レッグギャザー部３及びベルト部４に形成された脚回り開口部ＬＨの周縁には、脚回り弾性シート９が設けられている。おむつ１にレッグギャザー部３用の糸状弾性部材３ａを設けるだけでも、おむつ１は着用者の脚回りに密着できる。しかし、おむつ１に脚回り弾性シート９を設けることで、おむつ１は脚回り弾性シート９によって面で着用者の脚回りに密着する。そのため、脚回り開口部ＬＨの周縁部が着用者の脚の動きに追従し易くなり、排泄物の漏れをより確実に抑制できる。このように本実施形態のおむつ１では、防漏壁部２０と脚回り弾性シート９によって、排泄物の漏れを二重に抑制できる。
【００５３】
脚回り開口部ＬＨはレッグギャザー部３の横方向の側端とベルト部４の下端とで形成される。そのため、防漏壁部２０用の糸状弾性部材２１は第１接合部５１及び第２接合部５２に達していないのに対して、脚回り弾性シート９は第１接合部５１及び第２接合部５２を跨いでレッグギャザー部３とベルト部４に設けられている。そうすることで、脚回り開口部ＬＨの周縁に沿って脚回り弾性シート９を設けることができる。なお、本実施形態では脚回り弾性シート９が脚回り開口部ＬＨの周縁の全周に亘って設けられているがこれに限らず、脚回り開口部ＬＨの周縁の一部に設けられるだけでもよく、また、おむつ１に脚回り弾性シート９が設けられていなくてもよい。
【００５４】
また、図９に示すように、長手方向において第１接合部５１と第２接合部５２の間に位置する脚回り弾性シート９の横幅は一定であるのに対して、脚回り開口部用の孔ＬＨ’は長手方向の外側から中央側に向かって横幅が広くなっている。そのため、レッグギャザー部３に設けられた脚回り弾性シート９では、長手方向中央側での横方向の長さ（例えば図９のＬ１）に比べて、長手方向外側での横方向の長さ（例えば図９のＬ２）の方が長くなっている。換言すると、パンツ型状態のおむつ１において、脚回り弾性シート９の横方向の長さが、縦方向の下方側に比べて上方側の方が長くなっている。そのため、おむつ１の縦方向下方側の部位、つまり着用者の股間部に当たる部位では、着用者に面で密着する脚回り弾性シート９で防漏壁部２０を支持しつつ、脚回り弾性シート９の幅を狭くすることで、太腿に挟み込まれる股間部でも脚回り弾性シート９のもたつきを抑えられる。なお、防漏壁部２０が設けられたおむつ１では、防漏壁部２０の起立につられて脚回り弾性シート９が設けられた部位も起立する。この点からも股間部での脚回り弾性シート９のもたつきを抑えられると言える。一方、おむつ１の縦方向上方側の部位は、着用者の鼠蹊部（Ｖ字部分）、つまり体に窪みが生じ易い部位に当たる。そのため、おむつ１の縦方向上方側では、幅の広い脚回り弾性シート９をしっかりと着用者に密着させることで、隙間が生じ難くなり、排泄物の漏れを抑制できる。但し上記に限らず、例えば脚回り弾性シート９の横方向の長さが縦方向の下方側と上方側とで同等であってもよい。
【００５５】
また、長手方向の中央部（縦方向の下方側）では、防漏壁部２０の下層部２５の横方向の長さを、レッグギャザー部３に設けられた脚回り弾性シート９の横方向の長さとほぼ同じ長さに設定するとよい。そうすることで、着用者の股間部に対して起立する防漏壁部２０の高さと、脚回り弾性シート９が設けられた脚回り開口部ＬＨの縁部の高さをほぼ同じにでき、両者をバランスよく起立させることができる。よって、防漏壁部２０と脚回り弾性シート９のうちの一方は着用者に密着するが、他方は密着せずに隙間が生じてしまうことを抑えられ、排泄物の漏れを抑制できる。
【００５６】
＝＝＝その他の実施形態＝＝＝
上記実施形態では、防漏壁部２０が２層構造となっているがこれに限らず、例えば１層構造であってもよい。また、防漏壁部用シート２２が吸収体６の側端を巻き込み、吸収体６の非肌側面に固定されているがこれに限らず、例えば防漏壁部用シート２２の固定端部がレッグギャザー部３に固定されていてもよい。
【００５７】
上記実施形態では、シート部材１０を折ることで、シート部材１０の一部をレッグギャザー部３とし、シート部材１０の残りの部位をベルト部４としているが、レッグギャザー部３とベルト部４とを異なるシート部材から形成してもよい。
【００５８】
本発明に係る吸収性物品は、例えば介護用のおむつであっても、乳幼児用のおむつであってもよい。また、おむつとして利用するに限らず、例えば生理用品として利用してもよい。
【００５９】
以上、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００６０】
１  おむつ（吸収性物品）、２  吸収性本体、３  レッグギャザー部、３ａ  糸状弾性部材、４  ベルト部、４ａ  糸状弾性部材、５  液透過性シート、６  吸収体、６１  吸収性コア、６２  コアラップシート、７  液不透過性シート、８  外装シート、９  脚回り弾性シート（シート状弾性部材）、１０  シート部材、１１  シート、２０  防漏壁部、２１  糸状弾性部材、２２  防漏壁部用シート、２３  基材、２４  上層部、２５  下層部、３１  第１接着剤、３２  第２接着剤、３３  第３接着剤、３４  第４接着剤、３５  第５接着剤、４０  固定部、４１  第１固定部、４２  第２固定部、５１  第１接合部（接合部）、５２  第２接合部（接合部）、ＷＨ  胴回り開口部、ＬＨ  脚回り開口部
【図１】
0006446353.tif 000002
【図２】
0006446353.tif 000003
【図３】
0006446353.tif 000004
【図４】
0006446353.tif 000005
【図５】
0006446353.tif 000006
【図６】
0006446353.tif 000007
【図７】
0006446353.tif 000008
【図８】
0006446353.tif 000009
【図９】
0006446353.tif 000010